(57)【特許請求の範囲】
【請求項１】
装飾体の本体に形成された凹部に、磁石や鉱石その他宝石等の装飾具を挿入して取り付ける装飾具の止具であって、
前記凹部の内径と実質的に同一の外径を有するともに前記装飾具を収容する収納部を備え、前記凹部に嵌挿される筒状の本体と、
この本体の一端側に形成された複数の弾性脚と、
複数の前記弾性脚のうちの一部の弾性脚の一端を内側に折り曲げて折り曲げ部を形成し、前記凹部に前記本体を嵌挿したときに、前記折り曲げ部を前記凹部に形成された当接部に当接させて内側に折り曲げつつ前記装飾具を前記収納部の底部に押し付けるようにし、
複数の前記弾性脚のうちの残りの弾性脚の一端を外側に折り曲げて係合爪を形成し、前記凹部に前記本体を嵌挿したときに、前記凹部に形成された係合溝と前記係合爪とが係合するようにしたこと、
を特徴とする装飾具の止具。
【請求項２】
前記本体の底部を前記凹部から露出させ、前記底部を前記装飾体の一部として構成したことを特徴とする請求項１に記載の装飾具の止具。
【請求項３】
前記本体の底部に開口を形成し、前記収容部に収容した前記装飾具の表面が前記装飾体の一部を構成するようにしたことを特徴とする請求項１に記載の装飾具の止具。
【発明の詳細な説明】
【技術分野】
【０００１】
本発明は、装飾体の本体に形成された凹部に、磁石や鉱石その他宝石等の装飾具を挿入して取り付ける装飾具の止具に関する。
【背景技術】
【０００２】
ネックレスやブローチ、ブレスレット等の装飾体の中には、装飾体本体に形成した穴（凹部）に磁石や鉱石その他の宝石等の装飾具を嵌め込んで保持させたものがある。
例えば、特許文献１には、装飾品の留め具に磁石を利用し、ワンタッチで装飾具の長さ方向の両端を連結できるようにしたものが記載されている。この文献に記載の留め具では、装飾品本体に形成した凹部に磁石を接着剤で固定するようにしている。しかし、利用者の身に密着するこれら装飾体においては、利用者の汗や紫外線により、接着剤が早期に劣化したり、磁石表面に錆が発生したりして、磁石が凹部から脱落しやすくなるという問題がある。
【０００３】
装飾体の中には、例えば特許文献２や特許文献３に記載されているように、磁石や宝石等の装飾具を装飾体本体に加締めて固定することも行われているが、加締める際に高価な宝石等の装飾具の表面に傷を付けるおそれがあることから、手作業に依るところが大きく、熟練した技術が必要になるうえ大量生産には不向きでコスト高になるという問題がある。
【先行技術文献】
【特許文献】
【０００４】
【特許文献１】特開２００８−６７７５７号公報（例えば明細書の段落００１６の記載参照）
【特許文献２】特開２００６−２６００３号公報（例えば明細書の段落００１３の記載参照）
【特許文献３】実開平２−２２１１０号公報（例えば図面の第２図参照）
【発明の開示】
【発明が解決しようとする課題】
【０００５】
本発明は、上記の問題に鑑みてなされたもので、装飾体本体の凹部に嵌め込んだ磁石や鉱石その他宝石等の装飾具が、装飾体を長年使用しても脱落するおそれがなく、かつ、高価な宝石等の表面に傷を付けるおそれなく、熟練者でなくても簡単に嵌め付けることができ、大量生産にも適した装飾具の止具の提供を目的とする。
【課題を解決するための手段】
【０００６】
上記課題を解決するために、請求項１に記載の発明は、装飾体の本体に形成された凹部に、磁石や鉱石その他宝石等の装飾具を挿入して取り付ける装飾具の止具であって、前記凹部の内径と実質的に同一の外径を有するともに前記装飾具を収容する収納部を備え、前記凹部に嵌挿される筒状の本体と、この本体の一端側に形成された複数の弾性脚と、複数の前記弾性脚のうちの一部の弾性脚の一端を内側に折り曲げて折り曲げ部を形成し、前記凹部に前記本体を嵌挿したときに、前記折り曲げ部を前記凹部に形成された当接部に当接させて内側に折り曲げつつ前記装飾具を前記収納部の底部に押し付けるようにし、複数の前記弾性脚のうちの残りの弾性脚の一端を外側に折り曲げて係合爪を形成し、前記凹部に前記本体を嵌挿したときに、前記凹部に形成された係合溝と前記係合爪とが係合するように構成としてある。
この構成によれば、磁石や鉱石その他の宝石等の装飾具は、止具の収納部に収容された状態で、装飾体本体の凹部に嵌め込まれる。そのため、取り付けの際に装飾具に傷を付けるおそれがない。また、外側に張り出し形成された係合爪は、弾性脚を縮径方向に弾性変形させつつ前記凹部に進入して凹部に形成された係合溝と係合するので、止具は強固に装飾体本体に取り付けられ、長年装飾体を使用しても装飾具が脱落するおそれがない。また、止具とともに装飾具を装飾体本体に固定すると同時に、装飾具を止具の収納部の底部に押し付けて、装飾具を止具内で固定することも可能になる。
【０００７】
本発明においては、止具を装飾具の一部として利用することも可能である。すなわち、請求項２に記載するように、前記本体の底部を前記凹部から露出させ、前記本体の底部を前記装飾体の一部として構成するようにしてもよい。また、止具の一部から内部に収容した装飾具を露出させ、露出させた部分を外部から見えるようにしてもよい。すなわち、請求項３に記載するように、前記本体の底部に開口を形成し、前記収容部に収容した前記装飾具の表面が前記装飾体の一部を構成するようにしてもよい。
請求項２の構成によれば、例えば磁石のように装飾性のないものを装飾体本体の表面に露出させないで隠すことができ、かつ、止具を装飾具の一部として利用することができる。また、請求項３に記載の構成とすれば、収容部に収容した宝石等の装飾具を装飾体の一部として活用することができる。
【発明の効果】
【０００９】
本発明によれば、装飾具は止具の収納部に収容された状態で装飾体本体に取り付けられるので、取り付け作業の際に装飾具に傷を付けるおそれがない。また、止具を凹部に嵌め込むだけの簡単な作業で装飾具を装飾体本体に取り付けることができるので、取り付け作業の機械化や自動化も可能になり、大量生産とコストダウンが可能になる。
さらに、凹部に嵌め込んだ止具は容易には脱落しないので、長期に亘って装飾体を使用しても、磁石や鉱石その他の宝石等の装飾具が装飾体本体から脱落することがなく、長期に亘って装飾体の品質を維持することができる。
【発明を実施するための最良の形態】
【００１０】
以下、本発明の好適な実施形態を、図面を参照しながら詳細に説明する。
図１は、本発明の止具の第一の実施形態にかかり、装飾体，装飾具（磁石）及び止具の全体構成を説明する斜視図、図２（ａ）は図１の止具を使って装飾具を装飾体本体に取り付ける際の側面一部断面図、図２（ｂ）は図１の止具を使って装飾具を装飾体本体に取り付けた後の状態を説明する側面一部断面図である。
【００１１】
装飾体本体３には有底円形状の凹部３１が長手方向に均等間隔で複数形成されている。凹部３１の底部の形状は平坦であってもよいし、装飾具の形状に合わせて適宜に窪みを形成したものでもよい。この実施形態では、この凹部３１の各々に、止具１によって装飾具としての磁石２を取り付けて固定するものとする。
止具１は、有底の円筒状に形成され、装飾体本体３の凹部３１の内径とほぼ同一の外径を有する本体１１と、この本体１１の一端から切れ目（スリット１２）を入れることで形成される複数（この実施形態では六つ）の弾性脚１３と、この弾性脚１３の先端に形成された係合爪１４とを有している。
【００１２】
本体１１の内部には、磁石２を収容できる収納部１５が形成されている。この収納部１５の内径は、止具１とともに磁石２を装飾体本体３の凹部３１に取り付けたときに、磁石２が収納部１５内で径方向に移動しないように、凹部３１に形成された係合溝３２への係合爪１４の係合を妨げない範囲内で、磁石２の外径とほぼ同一に形成するのが好ましい。また、収納部１５の高さ寸法は、磁石２が収納部１５内で上下に移動しないように、磁石２の高さとほぼ同一に形成するのが好ましい。
係合爪１４は、凹部３１の底部に形成された係合溝３２と係合するように、弾性脚１３の先端を外側に折り曲げて形成される。係合爪１４の高さ方向の寸法は、係合溝３２に係合させたときに、止具１が上下に移動しないように、係合溝３２の高さ寸法とほぼ同じか僅かに小さくするとよい。
なお、本体１１の高さ寸法は、図示の例のように凹部３１の深さ寸法とほぼ同じとしてもよいし、これより小さくしてもよい。また、本体１１の高さ寸法を凹部３１の深さ寸法よりも大きくして、天底部１１ａが装飾体本体３の表面から突出するようにしてもよい。
【００１３】
上記構成の止具１の材料としては、チタン，ステンレス，金，銀，銅等の金属材料の他、樹脂材料を用いることができる。止具１は、これら材料をプレス加工，切削加工、ロストワックス加工、射出成形等の公知の加工手段で加工することで形成することができる。
上記構成の止具１を使って磁石２を凹部３１に取り付ける際には、磁石２を収納部１５に収納し、この状態で止具１及び磁石２を装飾体本体３の凹部３１に嵌め込む。このとき、本体１１の外側に張り出し形成された係合爪１４は、弾性脚１３を縮径方向に弾性変形させつつ凹部３１に進入し、やがて凹部３１に形成された係合溝３２と係合する。係合爪１４が係合溝３２に係合することで、止具１は強固に装飾体本体３に取り付けられる。
【００１４】
なお、この実施形態においては、装飾体本体３に止具１を取り付けると、磁石２は止具１によって隠されてしまって外部から視認することはできない。その反面、止具１は装飾体本体３の表面から露出するので、止具１を装飾体の装飾部分の一部として利用することが可能である。そのため、止具１の材質としてそれ自体が装飾性に優れるものを選択したり、天底部１１ａに色彩を施したりするとよい。
【００１５】
図３は、本発明の止具の第二の実施形態を示す斜視図である。
図３において先の実施形態と同一部位、同一部材には同一の符号を付して、詳しい説明は先の実施形態のものを援用する。
先の実施形態では、磁石２が止具１によって隠されてしまって外部から視認できないようになっていた。この実施形態では、止具１′の天底部１１ａの一部に開口１１ｂを形成して、装飾体本体３に止具１′を取り付けた後に装飾具２′の一部が外部から視認できるようにしている。この開口１ｂの大きさ（径）は、装飾具２′が脱出できないように、装飾具２′の外径より小さくする。
この実施形態では、装飾具２′を外部から視認することができるので、装飾具２′として宝石等を用いることができる。
【００１６】
図４及び図５は、本発明の止具の第三の実施形態にかかり、図４は止具を斜め下方から見た斜視図、図５は、本発明の止具の第三の実施形態にかかり、（ａ）は止具の主要部の断面図、（ｂ）は図４の止具の作用を説明する断面図である。
なお、図４及び図５において先の実施形態と同一部位、同一部材には同一の符号を付して、詳しい説明は先の実施形態のものを援用する。
この実施形態の止具４は、六つある弾性脚１３のうち、均等間隔の三つの弾性脚１３に外側に折れ曲がる係合爪１４を形成し、残りの三つの弾性脚１３の先端を内側に折れ曲がる折曲部１６を形成している。
この折曲部１６は、弾性脚１３を拡径方向に弾性変形させながら磁石２を収納部１５内に迎え入れ、止具４を凹部３１に嵌め込んだときには、図５に示すように、その先端が凹部３１の底部に当接して内側に折れ曲がりつつ磁石２を持ち上げる。これにより、磁石２が止具４の収納部１５の底部に押し付けられ、磁石２が収納部１５内で固定される。なお、図示するように、折曲部１６の屈曲部分に薄肉部１６ａを形成することで、折曲部１６を折り曲げやすくすることができる。
【００１７】
図６は、本発明の止具の他の利用形態を示す側面断面図である。
この実施形態では、装飾体本体３′に表面から裏面まで貫通する貫通孔状の凹部３１′を形成し、この凹部３１′の途中部位に係合溝３２′を形成している。
そして、凹部３１′の一方と他方（図６の上方と下方）から、止具を嵌め込む。嵌め込む止具は、第一の実施形態の止具１であってもよいし、第二の実施形態の止具１′であってもよく、第三の実施形態の止具４であってもよい。また、これらを適宜に組み合わせたものであってもよい。
図６に示す例では、凹部３１′の一方（上方）に図３の実施形態の止具１′を嵌め込み、他方（下方）に図１の実施形態の止具１を嵌め込んでいる。このようにすることで、装飾体の表面に宝石等の装飾具２′を露出させて装飾性を高めるとともに、磁石２のような機能性主体の装飾具を装飾体の表面から見えないようにすることができる。
また、特に図示はしないが、前記したように、一方又は他方に嵌め込む止具として、第三の実施形態の止具４を用いることも可能である。この場合、止具４の折曲部１６は、他方又は一方から嵌め込まれた他の止具１，１′，４の磁石２又は装飾具２′に当接することで、折り曲げられる。
【００１８】
本発明の好適な実施形態について説明したが、本発明の接続構造は上記のものに限られない。
例えば、係合爪１４は、凹部３１に形成した係合溝３２に係合できるのであれば、弾性脚１３の先端を折り曲げ形成したものに限らず、弾性脚１３の先端に突起状の係合爪を融着やハンダ付等により取り付けたものであってもよいし、弾性脚１３の先端から切削等によって削り出したものであってもよい。
また、上記の説明では弾性脚１３を六個形成するものとして説明したが、本発明の目的を達成できるのであれば、六個以上であってもよく、六個以下であってもよい。
さらに、凹部３１及び止具１，１′，４の形状は円形に限らず、楕円形状や不定形状，三角形状，四角形状でもよく、また、五角形や六角形のように多角形状であってもよい。
また、止具１，１′，４が凹部３１，３１′で移動（回転含む）したり、磁石２や装飾具２′が収納部１５内で移動（回転含む）したりしないように、収納部１５や凹部３１，３１′の内部に接着剤やシリコン等の充填剤を充填してもよい。
【産業上の利用可能性】
【００１９】
本発明は、磁石や鉱石、宝石その他の装飾具を凹部に嵌め込んで固定する装飾体であれば、ネックレスやブローチ、ブレスレットに限らず、例えばイヤリングや指輪等の他の装飾体にも広範に適用が可能である。
【図面の簡単な説明】
【００２０】
【図１】本発明の止具の第一の実施形態にかかり、装飾体，装飾具（磁石）及び止具の全体構成を説明する斜視図である。
【図２】図２（ａ）は図１の止具を使って装飾具を装飾体本体に取り付ける際の側面一部断面図、図２（ｂ）は図１の止具を使って装飾具を装飾体本体に取り付けた後の状態を説明する側面一部断面図である。
【図３】本発明の止具の第二の実施形態を示す斜視図である。
【図４】本発明の止具の第三の実施形態にかかり、止具を斜め下方から見た斜視図である。
【図５】本発明の止具の第三の実施形態にかかり、（ａ）は止具の主要部の断面図、（ｂ）は図４の止具の作用を説明する断面図である。
【図６】本発明の止具の他の利用形態を示す側面断面図である。
【符号の説明】
【００２１】
１，１′，４        止具
１１      本体
１１ａ    天底部（底部）
１１ｂ    開口
１２      スリット（切れ込み）
１３      弾性脚
１４      係合爪
１５      収納部
１６      折曲部
１６ａ    薄肉部
２        磁石（装飾具）
２′      装飾具
３        装飾体本体
３１．３１′      凹部
３２，３２′      係合溝
【図１】
0005480556.tif 000002
【図２】
0005480556.tif 000003
【図３】
0005480556.tif 000004
【図４】
0005480556.tif 000005
【図５】
0005480556.tif 000006
【図６】
0005480556.tif 000007